(57)【特許請求の範囲】
【請求項１】
コア中心軸線に対してダイリングが水平面内においてその直径方向で変位可能に設けてあり、前記ダイリングの周面には平面にみて直径方向で対をなす直線駆動装置が、少なくとも２組、前記コアの軸線周りに位置を異にして配置されて、前記各対の直線駆動装置は、複数ポイント式パリソン肉厚制御装置で指定された各ポイントに対応するブロー成形における一サイクルの肉厚パターンで、直線駆動されるものとしてあるブロー成形装置における前記コアと前記ダイリングの相対位置を前記各ポイントに対応して表示するディスプレイ装置において、前記各ポイントにおける前記コアに対する前記ダイリングの水平面内での相対位置を示す第１の表示画面と、第１の表示画面に表示された前記ポイントにおける前記コアに対する前記ダイリングの垂直面内での相対位置を示す第２の表示画面とを備え、前記第２の表示画面に表示される断面図は、前記第１の表示画面において各ポイントに対応する前記コアと前記ダイリング間の最大値と最小値の位置を通り縦断した図として表示されることを特徴とするブロー成形装置に使用されるディスプレイ装置。
【請求項２】
前記ダイリングのテーパ形状、その内側テーパ角度を入力する入力欄及びその表示欄が設けてあることを特徴とする請求項１記載のブロー成形装置に使用されるディスプレイ装置。
【請求項３】
前記第１の表示画面に、各対の直線駆動装置の移動量を表示する表示欄が設けてあり、前記第２の表示画面に、ダイリングとコアの間のギャップの最大、最小値及びコアの上下移動量を示す表示欄が各々設けてあることを特徴とする請求項１又は２記載のブロー成形装置に使用されるディスプレイ装置。
【発明の詳細な説明】
【０００１】
【産業上の利用分野】
この発明はブロー成形装置に使用されるディスプレイ装置に関する。
【０００２】
【従来の技術】
この種のディスプレイ装置としては樹脂温度、樹脂名などを入力、表示するものがある。またインフレーションフイルム成形装置におけるディスプレイ装置としては、エアリング吹出量、バブルの直径、ピンチローラの引取速度などを入力、表示するものがある。
【０００３】
【発明が解決しようとする課題】
しかし、ダイリングの位置調整により、偏肉形成などの肉厚調整を行なう際のダイリングとコアの相対位置を表示するものはないに等しい。この発明は、１サイクル長さのパリソン射出乃至押出中にブロー成形品の形状に応じて、ダイリングをコアに対して位置決めする際に、そのダイリングとコアの相対位置を水平面及び垂直面においてオペレータが目視でき、ブロー成形機の操作性の向上を図ることを目的とする。
【０００４】
【課題を解決するための手段】
前記課題を解決するために、特定発明はコア中心軸線に対してダイリングが水平面内においてその直径方向で変位可能に設けてあり、前記ダイリングの周面には平面にみて直径方向で対をなす、直線駆動装置が、少なくとも２組、前記コアの軸線周りに位置を異にして配置されて、前記各対の直線駆動装置は、複数ポイント式パリソン肉厚制御装置で指定された各ポイントに対応するブロー成形における一サイクルの肉厚パターンで、直線駆動されるものとしてあるブロー成形装置における前記コアとダイリングの相対位置を前記各ポイントに対応して表示するディスプレイ装置において、前記各ポイントにおける前記コアに対するダイリングの水平面内での相対位置を示す第１の表示画面と、第１の表示画面に表示された前記ポイントにおける前記コアに対する前記ダイリングの垂直面内での相対位置を示す第２の表示画面とを備え、前記第２の表示画面に表示される断面図は、前記第１の表示画面において各ポイントに対応する前記コアと前記ダイリング間の最大値と最小値の位置を通り縦断した図として表示されることを特徴とするブロー成形装置に使用されるディスプレイ装置としてある。
【０００５】
前記課題を解決するために、このディスプレイ装置における前記ダイリングのテーパ形状、その内側テーパ角度を入力する入力欄及びその表示欄が設けてあることを特徴としてあることが、ダイリングとコアの干渉防止上好ましい。
【０００６】
前記課題を解決するために、このディスプレイ装置における前記第１の表示画面に、各対の直線駆動装置の移動量を表示する表示欄が設けてあり、前記第２の表示画面に、ダイリングとコアの間のギャップの最大、最小値及びコアの上下移動量を示す表示欄が各々設けてあることを特徴としてあることが、Ｘ、Ｙ、Ｚ方向でのダイリングとコアの移動をオペレータが見る上で都合が良い。
【０００７】
このディスプレイ装置における前記縦断面図の横断面図に対する矢視位置を示す視点が横断面図におけるダイリング画面周囲で位置変更自在に前記各ポイントに応じて前記第１の表示画面に表示されていることが望ましい。これにより、前記第２の表示画面における縦断面図の縦断位置を一目で判断し、その干渉を予測し易い。
【０００８】
【発明の効果】
請求項１記載の発明においては、複数ポイント式パリソン肉厚制御装置で指定された各ポイントに対応するコアとダイリングの水平面及び垂直面における相対位置を、ブロー成形機の作動時にそのオペレータが前記第１、第２の表示画面を目視することで視覚的に確認でき、そのパリソンの偏肉形成位置、その状態を把握でき、ダイリングとコアの干渉を未然に防止できる。
【０００９】
請求項２記載の発明においては、請求項１記載の発明の効果に加えて、ダイリングのテーパ形状、その内側テーパ角度を入力、表示することで、ブロー成形機のオペレータはダイリングとコアの干渉位置を予め予測できる。
【００１０】
請求項３記載の発明においては、請求項１、２記載の発明の効果に加えて、前記第１、第２の表示画面上に各々設けた表示欄に表示される数値を見ることで、前記各ポイントにおけるＸ．Ｙ方向での対の直線駆動装置の移動量を知ることができ、かつ、コアの上下移動量を知ることができ、これに加えて前記第２の表示画面上に設けたギャップ最大、最小値欄に表される数値を見ることで、各ポイントにおけるコアに対するダイリングの最大、最小値を知ることができ、その相対位置を容易に知ることができる。
【００１１】
なお、このディスプレイ装置における前記縦断面図の横断面図に対する矢視位置を示す視点が横断面図におけるダイリング画面周囲で位置変更自在に前記各ポイントに応じて前記第１の表示画面に表示されている場合には、前記第２の表示画面上に表示された縦断面図が、前記第１の表示画面上に表示された横断面図のどの位置からみた図であるかを前記視点により一瞬に把握することができる。また、この視点は前記ポイントに応じて横断面図におけるダイリング画面周囲で位置変更自在に前記第１の表示画面に表示されるため、各ポイントに対応した位置に視点を移動し、この視点からみた矢視図として、前記第２の表示画面上に前記縦断面図を表示することができる。
【００１２】
【発明の実施の形態】
先ず、このディスプレイ装置Ｂが適用されるブロー成形装置Ａを説明する。
図２、図３、図４において、このブロー成形装置Ａにおいて、コア１０中心軸線に対してダイリング１１が水平面内においてその直径方向で変位可能に設けてあり、前記ダイリング１１の周面には平面にみて直径方向で対をなす、直線駆動装置（２０、２１）、（３０、３１）が、少なくとも２組、前記コア１０の軸線周りに位置を異にして配置されて、前記各対の直線駆動装置（２０、２１）、（３０、３１）は、複数ポイント式パリソン肉厚制御装置で指定された各ポイントに対応するブロー成形における一サイクルの肉厚パターンで、直線駆動されるものとしてある。
このブロー成形装置Ａにおける前記コア１０と前記ダイリング１１の相対位置を前記各ポイントに対応して表示するディスプレイ装置Ｂの代表的な実施の形態を、次に説明する。
図１において、前記ディスプレイ装置Ｂは、前記各ポイントにおける前記コア１０に対するダイリング１１の水平面内での相対位置を示す第１の表示画面４０と、第１の表示画面４０に表示された前記ポイントにおける前記コア１０に対する前記ダイリング１１の垂直面内での相対位置を示す第２の表示画面５０とを備え、前記第２の表示画面５０に表示される断面図は、前記第１の表示画面４０において各ポイントに対応するコア１０とダイリング１１間の最大値と最小値の位置を通り縦断した図として表示される。更に、このディスプレイ装置Ｂには、ダイリング１１のテーパ形状、その内側テーパ角度を入力する入力欄６０及びその表示欄７０、７１が設けてある。
【００１３】
前記第１の表示画面４０に、各対の直線駆動装置（２０、２１）、（３０、３１）の移動量を表示する表示欄（４１、４２）（４３、４４）が設けてあり、前記第２の表示画面５０に、ダイリング１１とコア１０の間のギャップの最大、最小値及びコア１０の上下移動量を示す表示欄（５１、５２）、５３が各々設けてある。前記縦断面図の横断面図に対する矢視位置を示す視点４５がこの横断面図におけるダイリング画面周囲で位置変更自在に前記各ポイントに応じて第１の表示画面４０に表示されている。
【００１４】
このディスプレイ装置Ｂの使用方法をブロー成形と関連して説明する。先ず、ダイリング１１をコア１０に対して同心とし、ダイリング１１とコア１０間に真円の環状パリソン吐出口１２を形成する。次いで、製品の一サイクルに対応するパリソンの長さを１０ポイント法で押出乃至射出する。各ポイントに対応して、一対２組の直線駆動装置（２０、２１）、（３０、３１）を直線駆動する。この駆動量、即ち移動量を対応する前記第１の表示画面４０の表示欄（４１、４２）、（４３、４４）に表示するとともに、このポイントにおけるコア１０とダイリング１１の水平面内での相対位置を示す横断面図を前記第１の表示画面４０に表示する。このポイントにおける横断面図に対応する縦断面図を前記第２の表示画面５０に表示する。この縦断面図は、前記視点４５から横断面図をみた矢視図である。前述の横断面図、縦断面図は実際の変位量よりもその寸法を誇張して表示し、変位量が視覚的に見易くしてある。この縦断面図は、横断面図を前記ダイリング１１と前記コア１０間のギャップの最大、最小値の位置を通り縦断した図であり、前記第２の表示画面５０における表示欄（５１、５２）、５３にこの最大値と最小値が表示されるとともに、前記コア１０の上下移動量が表示される。この第１、第２の表示画面４０、５０の断面図及び表示欄（４１、４２）（４３、４２）（５１、５２）５３の数値、前記視点４５は、各ポイントに対応するものであり、パリソンの肉厚はパリソンの中心から４５度の方向で偏肉にするのみでなく、前記ダイリング１１と前記コア１０の干渉しない半径内で種々の角度位置で偏肉に形成可能である。このダイリング１１と前記コア１０の干渉の基になるダイリング１１のテーパ形状、そのテーパ角度を予め入力し前記表示欄（７０、７１）に表示して、前記干渉を防止する。パリソンの肉厚が等厚の場合には、ダイリング１１はコア１０と同心となる。このようにして、所定長さで所定位置に平面に適宜の角度に偏肉部を形成したパリソンを金型に所定長さ押出乃至射出し、エアを吹込み、自動車内、外装品、エアダクト、二重壁深絞り成形品、容器などの成形品をブロー成形する。図３に示す形態ではダイリング１１全体がコア１０に対して水平方向で変位可能としてあるが、ダイリング１１の上段部分１１ａを、ダイ本体１８に対して水平方向で変位可能とする場合もある（図５参照）。
【図面の簡単な説明】
【図１】この実施の形態を示す概略正面図である。
【図２】図１のデイスプレイ装置を装備されたブロー成形装置の概略図である。
【図３】図２の要部縦断面図である。
【図４】図３の平面図である。
【図５】図２と異なるダイリングの形態を示す図である。
【符号の説明】
１１  ダイリング
１３，１４，１５，１６  ダイリング直線駆動装置
Ｂ  ディスプレイ装置
【図１】
0004096342.tif 000002
【図２】
0004096342.tif 000003
【図３】
0004096342.tif 000004
【図４】
0004096342.tif 000005
【図５】
0004096342.tif 000006